(57)【特許請求の範囲】
【請求項１】
タッチパネル表示器と、送信手段と、制御手段とを備えたタッチパネル表示式カラオケリモコン装置であって、
タッチパネル表示器は、制御手段の制御に従って情報を表示する表示器と、当該表示器に重ねられたタッチ入力の検出を可能とする透明タッチパネルとで構成され、
送信手段は、制御手段の制御に従ってリモコン信号を送信し、
制御手段は、初期画面処理と、複数のタスク画面処理とを可能とし、
初期画面処理は、複数の検索モードボタンと、演奏変更ボタン集合とがレイアウトされた画面構成であり、検索モードボタンがタッチ入力された場合には対応したタスク画面処理に移行し、演奏変更ボタンがタッチ入力された場合には対応する演奏変更処理を実行し、
各タスク画面処理は、楽曲の検索を行わせる画面構成であるとともに、初期戻しボタンを含み、演奏変更ボタンを含まない画面構成であり、利用者のタッチ入力により選択された楽曲を演奏予約するリモコン信号を送信させるとともに、初期戻しボタンがタッチ入力された際には初期画面処理に移行し、
各演奏変更処理は、現在演奏中のカラオケ演奏動作を変更するリモコン信号を送信手段に送信させる
タッチパネル表示式カラオケリモコン装置。
【請求項２】
少なくとも１のタスク画面処理は、表示指示ボタンをも含む画面構成であり、表示指示ボタンがタッチ入力された際には、演奏変更ボタン集合を付加表示させ、演奏変更ボタンがタッチ入力された際には対応した演奏変更処理を実行するとともに、演奏変更ボタン集合を消去する
請求項１に記載のタッチパネル表示式カラオケリモコン装置。
【請求項３】
少なくとも１のタスク画面処理は、表示指示ボタンをも含む画面構成であり、表示指示ボタンのタッチ入力毎に、演奏変更ボタン集合の付加表示と消去を繰り返し、演奏変更ボタンがタッチ入力された際には対応した演奏変更処理を実行する
請求項１に記載のタッチパネル表示式カラオケリモコン装置。
【請求項４】
演奏変更ボタン集合は、演奏中止のリモコン信号を送信させる演奏中止ボタンを含む
請求項１〜３のいずれかに記載のタッチパネル表示式カラオケリモコン装置。
【請求項５】
演奏変更ボタン集合は、演奏キー変更のリモコン信号を送信させるキーコントロールボタンを含む
請求項１〜３のいずれかに記載のタッチパネル表示式カラオケリモコン装置。
【発明の詳細な説明】
【０００１】
【発明の属する技術分野】
本発明は、利用者により入力された検索条件に基づいて適合するカラオケ楽曲を検索するとともに、検索結果として提示されたカラオケ楽曲を演奏予約する旨の利用者入力を受け付け、カラオケ装置にその楽曲を予約するためのリモコン信号を発信する電子目次本機能付きカラオケリモコン装置に関する。
【０００２】
【発明の背景】
電子目次本機能付きカラオケリモコン装置は、タッチパネルを備えたパームトップ型パソコンに類似した形態のコンピュータ応用機器として製品化される。そして、内蔵するハードディスクや不揮発性メモリなどの外部記憶にカラオケ装置におけるカラオケ楽曲データベースに対応するカラオケ楽曲についての属性情報を格納して楽曲索引データベースとして管理しており、利用者が入力した検索キーワードを属性情報に関するクエリーとしてデータベースに照会し、該当するカラオケ楽曲についての目次情報や楽曲番号を提示出力する。そして、利用者が演奏を希望するカラオケ楽曲が最終的に指定されたならば、その楽曲の楽曲番号を含んだ演奏予約コードをリモコン信号として至近のカラオケ装置に転送する。
【０００３】
カラオケ装置は演奏予約のためのリモコン信号を受信すると、その信号に含まれている楽曲番号を演奏予約の待ち行列として管理し、その待ち行列から順次楽曲番号をピックアップしていく。そして、ピックアップした楽曲番号に対応するカラオケ楽曲を演奏する。
【０００４】
また、電子目次本機能付きカラオケリモコン装置は、カラオケ楽曲の演奏準備中あるいは演奏中にあるカラオケ装置に作用して楽曲演奏を中止したり、伴奏音楽のキーやテンポなどの演奏状態を変更したりするための利用者入力を受け付けて該当のリモコン信号を発信する、従来のカラオケリモコン装置として機能させる動作モードも補助的に備えている。
【０００５】
しかし、あくまでも電子目次本機能付きカラオケリモコン装置は、さまざまな検索モードで楽曲索引データベースを高度に利用して希望の楽曲を探し出して予約することを主目的として使用されるものである。したがって、楽曲の検索操作中に誤って演奏変更に係わる操作入力がなされれば、演奏中のカラオケ装置に作用し、現に歌唱している人に多大な迷惑が掛かる。そこで、演奏変更に係わる操作は限られた条件でのみ可能とするようにしたい。
【０００６】
また、カラオケ装置を利用する人は多種多様であることから、とくに機械操作に不慣れな人を対象とした操作手順を採用することもひつようである。どのような人が操作しても直感的に操作でき、最終的な目的（リクエスト曲の特定）に直線的に到達できるようなユーザインタフェースを備えていることが必要である。
【０００７】
カラオケリモコン装置が携帯サイズであり、タッチパネルによる利用者入力および情報出力に供されるスペースが極めて少ないことも考慮する必要がある。すなわち、必要最小限の提示情報で最終目標に到達できるようにする。過剰な情報表示は却って利用者を困惑させるだけである。もちろん、 楽曲検索に係わる動作モードと演奏変更に係わる動作モードとを相互に素早く移行できるようにすることも必要である。
【０００８】
【発明の開示】
本発明は、電子目次本機能付きカラオケリモコン装置に求められる理想的なユーザインタフェースについて考察してなされたもので、その目的は、楽曲検索機能のための操作とカラオケ装置の演奏変更機能のための操作との相互干渉や誤操作につながる操作手順などを極力排除するとともに、だれもが直感的に操作できるユーザインタフェースを備えた電子目次本機能付きカラオケリモコン装置を提供することにある。
【０００９】
この発明に係るタッチパネル表示式カラオケリモコン装置は、演奏変更指示要素の表示制御に特徴を有し、分説すると、つぎの各事項（１）〜（７）により特定されるものである。
（１）タッチパネル表示器と、送信手段と、制御手段とを備えたタッチパネル表示式カラオケリモコン装置であること
（２）タッチパネル表示器は、制御手段の制御に従って情報を表示する表示器と、当該表示器に重ねられたタッチ入力の検出を可能とする透明タッチパネルとで構成されること
（３）送信手段は、制御手段の制御に従ってリモコン信号を送信すること
（４）制御手段は、初期画面処理と、複数のタスク画面処理とを可能とすること
（５）初期画面処理は、複数の検索モードボタンと、演奏変更ボタン集合とがレイアウトされた画面構成であり、検索モードボタンがタッチ入力された場合には対応したタスク画面処理に移行し、演奏変更ボタンがタッチ入力された場合には対応する演奏変更処理を実行すること
（６）各タスク画面処理は、楽曲の検索を行わせる画面構成であるとともに、初期戻しボタンを含み、演奏変更ボタンを含まない画面構成であり、利用者のタッチ入力により選択された楽曲を演奏予約するリモコン信号を送信させるとともに、初期戻しボタンがタッチ入力された際には初期画面処理に移行すること
（７）各演奏変更処理は、現在演奏中のカラオケ演奏動作を変更するリモコン信号を送信手段に送信させること
【００１０】
上記のように特定される発明において、少なくとも１のタスク画面処理は、表示指示ボタンをも含む画面構成であり、表示指示ボタンがタッチ入力された際には、演奏変更ボタン集合を付加表示させ、演奏変更ボタンがタッチ入力された際には対応した演奏変更処理を実行するとともに、演奏変更ボタン集合を消去する構成を採用することができる。
【００１１】
また、少なくとも１のタスク画面処理は、表示指示ボタンをも含む画面構成であり、表示指示ボタンのタッチ入力毎に、演奏変更ボタン集合の付加表示と消去を繰り返し、演奏変更ボタンがタッチ入力された際には対応した演奏変更処理を実行する構成を採用することもできる。
【００１４】
【発明の実施の形態】
＝＝＝カラオケリモコン装置の構成＝＝＝
図１は本発明の実施例におけるカラオケリモコン装置の外観を斜視図によって示している。装置本体１は、概して厚めのパネル状であり、サイズは、パネルを横長にしたとき、両手を軽く開いた状態で持てる程度である。パネル前面には液晶ディスプレイ（ＬＣＤ）２が配設されており、このＬＣＤ２の表面にはタッチパネル３が積層されている。
【００１５】
パネル状ケースの上端面には発光ダイオード（ＬＥＤ）による赤外線送信部４があり、下端面には本体内部にある二次電池を充電する際に外部電源から電力供給を受けるための端子６や、外部のコンピュータとデータ通信を行うためのＲＳ２３２Ｃ規格のインタフェース（ＩＦ）用端子５が配設されている。なお、これら端子群は、めくら蓋によって普段は外部から見えないようになっている。
【００１６】
図２はカラオケリモコン装置１の内部構成を機能ブロック図によって示している。本実施例のカラオケリモコン装置１の構成はＰＣなどのコンピュータと基本的には同じである。 外部記憶として機能するフラッシュメモリ１２にはカラオケ装置にて利用可能なカラオケ楽曲について、曲名・アーティスト名・歌詞の歌い出し部分などの属性情報が楽曲番号に対応付けされて格納され、楽曲索引データベースが構築されている。さらに、このカラオケリモコン装置１の主制御部である中央制御部１１がＲＳ２３２Ｃ規格の通信インタフェース（ＩＦ）１３を介してカラオケ装置などの外部のコンピュータと通信し、新規のカラオケ楽曲についての属性情報などをダウンロードしてフラッシュメモリ１２に格納することで楽曲索引データベースが適時に更新される。
【００１７】
また中央制御部１１は、タッチパネル３からの操作入力情報を操作制御部１５を介して受け取ると、内部のＲＯＭに用意されている画像データや、この画像データに操作入力情報に応じた処理結果を反映させた画像データをビデオＲＡＭにビットマップ展開するとともに、ＬＣＤドライバ１４を制御してこのビットマップ画像をＬＣＤ２に表示出力させる。それによって、カラオケリモコン装置１は利用者にＧＵＩ環境を提供している。そして、中央制御部１１が利用者とＧＵＩによる対話を通じて楽曲索引データベースを検索し、その検索結果を表示出力させることで電子目次本機能を実現している。
【００１８】
中央制御部１１は、電子目次本機能によって最終的に１つのカラオケ楽曲を提示した状態で、その楽曲を演奏予約する旨の利用者入力があれば、該当の楽曲番号を含んだコードを生成し、そのコードをＬＥＤドライバ１６に転送する。ＬＥＤドライバ１６は、このコードの変調信号をＬＥＤ１７に与えて、カラオケ装置に演奏予約のための無線信号を送信させる。
【００１９】
中央制御部１１は、電子目次本機能とリモコン信号の送信に係わる処理を実行する一方で、演奏予約された楽曲についての履歴も管理している。フラッシュメモリ１２には、このカラオケリモコン装置１にて演奏予約されたカラオケ楽曲についての履歴を最新の予約楽曲から所定曲数分記憶しており、中央制御部１１は、演奏予約のリモコン信号を送出する処理を実行する機会ごとにその予約した楽曲の楽曲番号を最近の演奏予約履歴として記憶するとともに、履歴中で最も古い楽曲番号を削除する。
【００２０】
また、中央制御部１１内のＲＯＭには、カラオケ装置に付属の従来のリモコン装置が発信する各種リモコン信号の生成起源となるコードが記憶されており、中央制御部１１は、ＧＵＩを通じてカラオケ装置を操作する旨の利用者入力があったことを認知すると、該当するコードを含んだリモコン信号を発信させる。
【００２１】
＝＝＝初期画面＝＝＝
図３は、カラオケリモコン装置１の電子目次本機能を起動したときに表示される初期画面２０の概略図を示している。初期画面２０には、このカラオケリモコン装置１に実装されている各種検索モード（新譜・歌手名・曲名・あの頃・デュエット・ジャンル）や各種機能（履歴・リモコン）を起動するためのメニューボタン２１〜２８が配設されている。図４に初期画面２０に配設された各メニューボタンを指示したときに呼び出される機能を流れ図によって示した。
【００２２】
また、メニューボタン２１〜２８が配設されている領域の右側にはカラオケ装置を操作するための各種コマンドボタン２９ａ〜ｃがまとまって配設されており、これらコマンドボタン２９ａ〜ｃのいずれかを指示すると、カラオケ装置が演奏準備中あるいは演奏中のカラオケ楽曲の演奏動作に変更を加えるための演奏変更コマンドが発信される。本実施例では演奏中止用２９ａ・再演奏用（演奏やり直し用）２９ｂ・キー制御値設定用２９ｃの各種演奏変更ボタンが配設されている。
【００２３】
この初期画面２０の表示中にいずれかのメニューボタン２１〜２８が指示されると、それぞれ図５（Ａ）〜（Ｈ）に示した各検索モードや機能を操作するためのタスク画面が表示される。カラオケリモコン装置１は、タスク画面（Ａ）〜（Ｈ）を各動作モード（検索モードや機能）への導入画面として表示するとともに、利用者の操作入力に従ってこれら導入画面（Ａ）〜（Ｈ）から階層的にタスク画面を遷移させ、最終的にカラオケ装置に演奏予約したい楽曲が利用者により特定され、その楽曲を演奏予約する旨の操作入力に従って該当の楽曲番号を含んだリモコン信号を送出する。
【００２４】
なお、メニューボタン２１〜２８を指示して各種動作モードが起動した後は、初期画面２０にあった演奏変更コマンドボタン２９ａ〜ｃは表示されない。リモコンモード（Ｈ）を除いては、演奏準備中あるいは演奏中の楽曲に対する演奏変更の利用者入力を受け付けないようにしている。すなわち、カラオケ装置を積極的に操作するモード以外では、誤操作による演奏準備中あるいは演奏中にある楽曲の演奏変更がなされないようにしている。つぎに、本実施例のカラオケリモコン装置１が備える各種動作モードについて、いくつか例を挙げて説明する。
【００２５】
＝＝＝楽曲検索機能＝＝＝
楽曲索引データベースにクエリーを照会して最終的に利用者がリクエスト希望する楽曲を特定する楽曲検索機能について説明する。ここでは、「曲名検索」モードを例に挙げる。
まず、初期画面にある「曲名」のメニューボタン２３が指示されると、図５（Ｃ）に示した曲名検索モードのタスク画面が表示される。図６は曲名検索モードによる楽曲検索処理の流れを示している。また、図７（ａ）〜（ｆ）にこの処理の課程でＬＣＤ２に表示される画面の遷移図を示した。初期画面で曲名検索モードのメニューボタン２３が利用者により選択指示されると、文字パレットを含んだキーワード入力画面（ａ）が表示される（ｓ５１〜５３）。利用者がこの文字パレット中の文字を指示して目的とするカラオケ楽曲の曲名を頭文字から１文字ずつ入力していく。中央制御部は、１文字入力される毎に頭文字からの文字列を楽曲検索データベースに問い合わせる。例えば「まなつの・・・」と入力するのであれば、まず「ま」が入力された時点でキーワード「ま」をクエリーとして楽曲検索データベースを検索する。この時点で該当するカラオケ楽曲の曲数が規定数より多ければ、画面（ｂ）に示すように、その入力文字と曲数とを画面上の所定位置（３１，３２）に表示する（ｓ５４〜ｓ５８→Ｓ５３）。「ま」に引き続いて「な」以降の文字が入力されると、その文字入力機会ごとに入力済みの文字列を楽曲検索データベースに照会し、該当する楽曲の数を表示する（ｃ）。
【００２６】
ここで、この文字パレットとともに曲数が表示された画面中にある「さがす」ボタン３３を指示すると、検索された楽曲についての適宜な属性情報を複数ページに渡って一覧表示する（ｓ５８→ｓ５９）。すなわち、限られた表示面積中に多数の楽曲についての属性情報を表示すると見にくくなるため、検索された複数の楽曲を所定数毎にまとめ、その規定数の楽曲についての属性情報を一つの画面中に一覧表示する。本実施例では、検索された複数のカラオケ楽曲について、楽曲番号順に８曲毎にまとめて一覧表示している（ｄ）。
【００２７】
また、この一覧画面中には総ページ数と現在表示中のページ番号とが所定位置３４に表示されており、利用者がページめくりのボタン３５を指示すると、そのページをめくる方向に応じて前後のページを表示し、その他の楽曲の属性情報を一覧表示する（ｓ５９〜ｓ６１）。また、文字入力を続けて再度検索をしたいのであれば、属性情報の一覧画面中にある「戻る」ボタン３６を指示し、文字パレットを再度表示させる（ｓ６２→ｓ５３）。
【００２８】
利用者が検索された複数ページに渡る楽曲一覧を順次閲覧していく課程で、ある楽曲の表示欄が指示されると、カラオケリモコン装置はこの指示された楽曲についての詳細な属性情報を表示出力する（ｓ６３→ｓ６４、ｅ）。利用者がこの詳細な属性情報をみて目的とする楽曲であることを確認したならば、この詳細属性情報の表示画面中に配設されている「転送」ボタン３８を指示する。それによって、カラオケリモコン装置は、この楽曲を予約するリモコン信号を送出し（ｓ６６→ｓ７３）、予約した旨の確認画面（ｆ）を表示した後、再度曲名検索処理のタスク画面（ａ）を表示する（ｓ７４→ｓ５１）。また、目的とする楽曲でない場合は、詳細属性情報の表示画面中にある「戻る」ボタン３７を指示し、この楽曲が含まれる一覧を再度表示させる（ｓ６５→ｓ５９）。また、先の文字パレットを含んだ曲数提示ページに戻り、文字入力を続けたければ一覧画面中にある「戻る」ボタン３６を指示する（ｓ６２→ｓ５３）。なお、すべての画面には「ｔｏｐ」と書かれたボタン３９が配設されており、このボタンを指示すると図３に示した初期画面に戻るようになっている。
【００２９】
本実施例のカラオケリモコン装置では、さらに、文字が入力されていく課程で、検索結果として該当するカラオケ楽曲の数が所定数（８曲）以下になると、そのカラオケ楽曲についての属性情報の一部を楽曲検索データベースから取り出して図７に示した楽曲の属性情報一覧（ｄ）を自動的に表示する（ｓ５７→ｓ６７→ｓ６８）。なおこの場合に表示される属性情報一覧画面（ｄ）において、ページ数の記載位置３４には１／１を表示し、ページ送りのボタン３５を淡色表示にして利用者の指示操作を無効化する。
【００３０】
さらに、例えば、上述の「まなつの・・」と入力していく課程である時点で１０曲の該当楽曲が検索され、次の１文字を入力した時点で該当する楽曲が１曲になった場合、属性情報一覧画面の表示処理を省略してその楽曲についての詳細属性情報を自動的に表示する（ｓ５７→ｓ６７→ｓ７０）。なお、その後の演奏予約するまでの流れは前述した流れ（ｓ６３〜ｓ６６→ｓ７３→ｓ７４）と同じである（ｓ６９〜ｓ７４）。
【００３１】
このように、文字入力の課程で検索結果として曲数が逐次表示されるため、利用者が適当な数にまで絞り込まれた時点で一覧表示すれば、多くの一覧表示のページを順次閲覧していく作業が省略できる。また、表示面積の制限から一度に表示可能な曲数が限られていても、検索結果として該当する楽曲の数がその表示可能曲数以下に絞り込まれた時点で自動的に一覧表示するため、ページめくりの作業から開放される。
【００３２】
なお上記実施例では、データベース検索や一覧表示中からの利用者の指示によって、最終的に１曲が絞り込まれた時点でその楽曲の詳細属性情報を表示し、その画面上で予約する旨の利用者操作を受け付けることとしていたが、１曲に絞り込まれた時点で自動的にリモコン信号を送出するようにしてもよい。このとき、詳細画面は表示してもしなくてもよい。
【００３３】
＝＝＝履歴管理機能＝＝＝
本実施例の電子目次本機能付きカラオケリモコン装置は先に例示した楽曲検索機能の他に、演奏予約する旨のリモコン信号が発信されたことを履歴として管理する機能も備えている。履歴管理機能には、過去の履歴からリクエスト曲を指定してその楽曲を演奏予約するモードと、過去の履歴からある楽曲を指定してその楽曲の演奏を中止するモードと、過去の履歴からある楽曲を指定してその楽曲の演奏順番を待ち行列の１番に繰り上げるモードとがある。以下、履歴管理機能におけるこれら３つのモードについて、その動作とユーザインタフェースとについて説明する。
【００３４】
履歴管理機能を呼び出すためには、図３に示した初期画面の「予約履歴」ボタン２７を指示する。カラオケリモコン装置１はこの指示操作を受け付けて図５（Ｇ）に示したタスク画面を表示する。図８は履歴管理機能における処理の流れ図を示している。また図９（ａ）〜（ｆ）にこの処理の課程でＬＣＤ２に表示されるタスク画面の遷移図を示した。
【００３５】
まず、履歴管理機能のタスク画面（ａ）が図３に示した初期画面から呼び出されると、過去に演奏予約された曲名が一覧表示される（ａ）。本実施例では、過去１００曲分を履歴として管理し、１画面に８曲分の曲名とアーティスト名とを一覧表示する。一覧において、各曲名の左側の数字４０は予約操作がなされた順番を示しており、最も新しい演奏予約楽曲を１としている。初期画面（ａ）では、この最新の予約楽曲から過去８曲分の曲名が一覧表示され、この画面にある「ページめくり」のボタン４１を指示していくと、過去に演奏予約された楽曲についての一覧が順次表示される（ｓ８１〜ｓ８４）。
【００３６】
利用者がこの履歴楽曲一覧中から特定の楽曲を指定した上で「詳細」ボタン４２を指示すると、その楽曲についての詳細な属性情報が記載された画面（ｂ）が表示される（ｓ８５→ｓ８６→ｓ９１→ｓ９４→ｓ９５）。この画面（ｂ）にある「転送」ボタン４３を指示すると、その楽曲の楽曲番号を含んだ演奏予約用のリモコン信号が送出され、演奏予約した旨の確認画面（ｃ）が暫時表示された後、予約履歴の初期画面（ａ）が表示される（ｓ９６→ｓ９７→ｓ９８→ｓ８１）。なお「割込転送」ボタン４４を指示すると、演奏予約指示した楽曲の楽曲番号がカラオケ装置における演奏処理の待ち行列の最後尾ではなく、先頭に登録されることになり、現在演奏中のカラオケ楽曲の次にこの予約した楽曲が演奏される。
【００３７】
またカラオケリモコン装置１は、演奏予約のリモコン信号を送出した時点で、その演奏予約した楽曲を最新の予約楽曲として予約履歴に追加登録する処理を行う。したがって、初期画面（ａ）が再度表示されたときには、演奏予約した楽曲が履歴一覧における最新の予約楽曲として表示されることになる。なお、各画面にある「戻る」ボタン４５は直前に表示した画面を再表示させるためのボタンであり、「トップ」ボタン４６は図３に示した初期画面を表示させるためのボタンである。このようにどの動作モードのタスク画面にもトップボタンを配設しておくことで、演奏変更をする際はすぐに初期画面に画面転換させることができるとともに、動作モードの操作と演奏変更の操作とを完全に切り離して歌唱者が意図しない演奏変更がなされないようにしている。もちろん、ある動作モードからリモコン機能を起動するときも一度初期画面に戻らなければならない。
【００３８】
履歴楽曲一覧の画面（ａ）には、「削除」ボタン４７も配設されている。特定の楽曲を指定した上でこの「削除」ボタン４７を指示すると、その楽曲の予約日時が記載された予約詳細画面（ｄ）が表示される（ｓ８６→ｓ８７）。利用者がこの画面（ｄ）で予約を取り消す楽曲であることを確認し、画面（ｄ）中の「確認」ボタン４９を指示すると、その楽曲の楽曲番号と演奏を取りやめる旨のコードとを含んだリモコン信号が送出される。そして、当該楽曲の予約を取り消した旨の確認画面（ｅ）を暫時表示した後、予約履歴の初期画面（ａ）を表示する（ｓ８８→ｓ８９→ｓ９０→ｓ８１）。
【００３９】
なおカラオケ装置は、この楽曲番号とともに演奏中止の旨のコードを含んだリモコン信号を受信すると、演奏処理の待ち行列中に該当の楽曲番号があると、その番号を削除してその楽曲の演奏を取りやめるように構成しておけばよい。
【００４０】
履歴楽曲一覧の画面（ａ）には、「繰上」ボタン４８も配設されている。特定の楽曲を指定した上で「繰上」ボタン４８が指示されると、演奏予約の待ち行列に登録されているこの指定楽曲の順番を１位に繰り上げる旨のリモコン信号を発信する（ｓ８６→ｓ９１→ｓ９２）。本実施例は、この楽曲の楽曲番号と、割込予約コマンドと、当該楽曲番号を演奏予約の待ち行列から消去する旨のコードとを含んだリモコン信号を送信する。そして、確認画面（ｄ）を暫時表示した後、初期画面（ａ）を表示する（ｓ９３→ｓ８１）。また、「繰り上げ」によって演奏予約をさせた場合も、演奏履歴の更新処理は行わない。したがって、初期画面（ａ）は前回表示したときと同様となる。
【００４１】
なおカラオケ装置は、予約順番を繰り上げる旨のリモコン信号を受信して待ち行列を更新するように構成しておけばよい。
【００４２】
＝＝＝その他の実施例＝＝＝
上記実施例では、「リモコン」の動作モード以外は、初期画面にのみ演奏変更コマンドボタンを表示状態にしていた。この構成に限らず、楽曲検索機能や履歴管理機能による動作モードが起動しているときであっても、演奏変更コマンドボタンを表示したり非表示にしたりするためのボタンをタスク画面に配設するようにしてもよい。
【００４３】
または、演奏変更コマンドボタンを表示するためのボタンをタスク画面に配設し、タスク画面を起源として演奏変更コマンドボタンを表示した時は、いずれかの演奏変更コマンドボタンが指示されるとその都度このコマンドボタンを非表示にして動作モードに復帰させるようにしてもよいし、演奏変更コマンドボタンとともにそのコマンドボタンを非表示するボタンを表示するようにしてもよい。
【００４４】
また、例えば、楽曲検索で文字を入力していく途上など、タスク画面を媒介とした利用者入力の途上で演奏変更コマンドボタンを表示したとき、その演奏変更コマンドを非表示にした際に、先の入力途上の状態を再現するようにタスク画面に復帰させることも可能である。
【００４５】
図１０にこの楽曲検索機能の起動時に演奏変更コマンドボタンを表示させた状態の画面概略図を示した。タスク画面５０には演奏変更コマンドボタンを表示させるためのボタン（コマンドボタン表示指示ボタン）５１が含まれており、このボタン５１を指示すると、各種演奏変更コマンドボタンを含んだ別画面５２がタスク画面上に表示される。このように、必要なときにだけ演奏変更コマンドボタンを表示させる構成とすることで、誤操作による演奏変更を防止している。
【００４６】
【発明の効果】
本発明の電子目次本機能付きカラオケリモコン装置によれば、初期画面では検索メニューと演奏変更コマンドボタンとを共存させた画面構成とするとともに、検索メニューにタッチ入力したときに表示されるタスク画面には初期画面に復帰するための初期戻しボタンを配置し、演奏変更コマンドボタンは含めないようにしている。そうすることで、楽曲検索機能のための操作とカラオケ装置の演奏変更機能のための操作とが完全に切り離され、誤操作を排除することができる。また、複数の機能が１つの画面に混在せず、利用者が困惑することがなく、だれもが直感的に操作できる優れたユーザインタフェースを提供できる。
【図面の簡単な説明】
【図１】本発明の実施例における電子目次本機能付きカラオケリモコン装置の外観図を示している。
【図２】上記実施例の機能ブロック図を示している。
【図３】上記実施例にて表示されるトップ画面の概略図を示している。
【図４】上記トップ画面から各種検索方式や機能を呼び出す動作を流れ図によって示している。
【図５】上記各種検索方式や機能が呼び出されたときの表示画面を概略図として示している。
【図６】上記実施例における曲名検索機能に係わる処理の流れ図を示している。
【図７】上記実施例における曲名検索機能に係わる処理を表示画面の遷移図によって示している。
【図８】上記実施例において、履歴管理機能に係わる処理の流れ図を示している。
【図９】上記履歴管理機能における処理を表示画面の遷移図によって示している。
【図１０】本発明のその他の実施例における演奏変更コマンドボタンの表示形態を画面概略図によって示している。
【符号の説明】
１  カラオケリモコン装置
２  液晶ディスプレイ
３  タッチパネル
１１  中央制御部
１２  フラッシュメモリ
１３  通信インタフェース
１７  発光ダイオード
【図１】
0003643072.tif 000002
【図２】
0003643072.tif 000003
【図３】
0003643072.tif 000004
【図４】
0003643072.tif 000005
【図５】
0003643072.tif 000006
【図６】
0003643072.tif 000007
【図７】
0003643072.tif 000008
【図８】
0003643072.tif 000009
【図９】
0003643072.tif 000010
【図１０】
0003643072.tif 000011